(57)【要約】【課題】横長スリット４Ｓよりも観察者に近い位置がライン状に光って見えるようにしつつ、光源１からの光の利用効率の低下を回避する。【解決手段】光源１と、光源１からの直射光または間接光を集光させるための集光レンズ３と、横長スリット４Ｓを有するスリット部材（４ａ，４ｂ）とを具備し、ライン状に光って見えるように構成された照明装置において、横長スリット４Ｓを隔てて集光レンズ３の反対側の位置Ｐに集光レンズ３からの光を集光させ、集光レンズ３の上部３ｃの近傍と横長スリット４Ｓの上縁４Ｓ１とを橋絡する平面状の上リフレクタ４ａの反射面４ａ３と、集光レンズ３の下部３ｄの近傍と横長スリット４Ｓの下縁４Ｓ２とを橋絡する平面状の下リフレクタ４ｂの反射面４ｂ３とを設けた。【選択図】図２
2009064655.tif 000002
【特許請求の範囲】
【請求項１】
光源と、光源からの直射光または間接光を集光させるための集光レンズと、横長スリットを有するスリット部材とを具備し、ライン状に光って見えるように構成された照明装置において、
横長スリットを隔てて集光レンズの反対側の位置に集光レンズからの光を集光させ、
集光レンズの上部の近傍と横長スリットの上縁とを橋絡する平面状の上リフレクタの反射面と、集光レンズの下部の近傍と横長スリットの下縁とを橋絡する平面状の下リフレクタの反射面とを設けたことを特徴とする照明装置。
【請求項２】
集光レンズの上部の近傍と横長スリットの上縁とを結ぶ線分の延長線上であって、集光レンズの下部の近傍と横長スリットの下縁とを結ぶ線分の延長線上に、集光レンズからの光を集光させることを特徴とする請求項１に記載の照明装置。
【請求項３】
集光レンズの上フランジ部を固定するための固定部と、横長スリットの上縁を形成する端部とを上リフレクタに設け、
集光レンズの下フランジ部を固定するための固定部と、横長スリットの下縁を形成する端部とを下リフレクタに設けたことを特徴とする請求項１又は２に記載の照明装置。
【請求項４】
請求項１〜３のいずれか一項に記載の照明装置を適用した車両用灯具。
【発明の詳細な説明】
【技術分野】
【０００１】
本発明は、光源と、光源からの直射光または間接光を集光させるための集光レンズと、横長スリットを有するスリット部材とを具備し、ライン状に光って見えるように構成された照明装置および車両用灯具に関し、特には、横長スリットよりも観察者に近い位置がライン状に光って見えるようにしつつ、光源からの光の利用効率の低下を回避することができる照明装置および車両用灯具に関する。
【背景技術】
【０００２】
従来から、光源と、光源からの直射光を集光させるための集光レンズと、横長スリットを有するスリット部材とを具備し、ライン状に光って見えるように構成された照明装置が知られている。この種の照明装置の例としては、例えば特開２００１−２２９７１２号公報の図１６および図１７に記載されたものがある。
【０００３】
特開２００１−２２９７１２号公報の図１６および図１７に記載された照明装置では、例えばＬＥＤのような光源からの光が、例えばシリンドリカルレンズのような集光レンズによって集光される。更に、集光レンズからの光が集光せしめられる位置にスリット部材（スリット板）の横長スリットが配置されている。
【０００４】
【特許文献１】特開２００１−２２９７１２号公報の図１６および図１７
【発明の開示】
【発明が解決しようとする課題】
【０００５】
ところで、特開２００１−２２９７１２号公報の図１６および図１７に記載された照明装置では、上述したように、スリット部材（スリット板）の横長スリット上に集光レンズからの光が集光せしめられる。そのため、観察者からは、あたかもスリット部材（スリット板）の横長スリット上に配置されたライン状の光源が光っているかのように見える。
【０００６】
特開２００１−２２９７１２号公報の図１６および図１７に記載された照明装置よりも観察者に近い位置がライン状に光って見えるようにするために、スリット部材（スリット板）の横長スリット上に集光レンズからの光を集光させるのではなく、横長スリットを隔てて集光レンズの反対側（特開２００１−２２９７１２号公報の図１６の右側）の位置に集光レンズからの光を集光させることが考えられる。
【０００７】
ところが、横長スリットを隔てて集光レンズの反対側（特開２００１−２２９７１２号公報の図１６の右側）の位置に集光レンズからの光を集光させようとすると、照明装置の製造誤差などにより、集光レンズからの光の一部がスリット部材（スリット板）の横長スリットを通過できないおそれが生じてしまう。
【０００８】
具体的には、集光レンズの上側部分を透過した光が、スリット部材（スリット板）のうち、横長スリットの上縁よりも上側の部分に遮られたり、集光レンズの下側部分を透過した光が、スリット部材（スリット板）のうち、横長スリットの下縁よりも下側の部分に遮られたりするおそれが生じてしまう。
【０００９】
つまり、横長スリットを隔てて集光レンズの反対側（特開２００１−２２９７１２号公報の図１６の右側）の位置に集光レンズからの光を集光させようとすると、集光レンズからの光の一部がスリット部材（スリット板）に遮られるのに伴って、光源からの光の利用効率が低下するおそれが生じてしまう。
【００１０】
前記問題点に鑑み、本発明は、横長スリットよりも観察者に近い位置がライン状に光って見えるようにしつつ、光源からの光の利用効率の低下を回避することができる照明装置および車両用灯具を提供することを目的とする。
【課題を解決するための手段】
【００１１】
請求項１に記載の発明によれば、光源と、光源からの直射光または間接光を集光させるための集光レンズと、横長スリットを有するスリット部材とを具備し、ライン状に光って見えるように構成された照明装置において、横長スリットを隔てて集光レンズの反対側の位置に集光レンズからの光を集光させ、集光レンズの上部の近傍と横長スリットの上縁とを橋絡する平面状の上リフレクタの反射面と、集光レンズの下部の近傍と横長スリットの下縁とを橋絡する平面状の下リフレクタの反射面とを設けたことを特徴とする照明装置が提供される。
【００１２】
請求項２に記載の発明によれば、集光レンズの上部の近傍と横長スリットの上縁とを結ぶ線分の延長線上であって、集光レンズの下部の近傍と横長スリットの下縁とを結ぶ線分の延長線上に、集光レンズからの光を集光させることを特徴とする請求項１に記載の照明装置が提供される。
【００１３】
請求項３に記載の発明によれば、集光レンズの上フランジ部を固定するための固定部と、横長スリットの上縁を形成する端部とを上リフレクタに設け、集光レンズの下フランジ部を固定するための固定部と、横長スリットの下縁を形成する端部とを下リフレクタに設けたことを特徴とする請求項１又は２に記載の照明装置が提供される。
【００１４】
請求項４に記載の発明によれば、請求項１〜３のいずれか一項に記載の照明装置を適用した車両用灯具が提供される。
【発明の効果】
【００１５】
請求項１に記載の照明装置では、光源と、光源からの直射光または間接光を集光させるための集光レンズと、横長スリットを有するスリット部材とが設けられている。また、集光レンズからの光が、横長スリットを隔てて集光レンズの反対側の位置に集光せしめられる。そのため、観察者からは、あたかも横長スリットよりも観察者に近い位置に配置されたライン状の光源が光っているかのように見える。つまり、請求項１に記載の照明装置によれば、横長スリットよりも観察者に近い位置がライン状に光って見えるようにすることができる。
【００１６】
更に、請求項１に記載の照明装置では、集光レンズの上部の近傍と横長スリットの上縁とを橋絡する平面状の上リフレクタの反射面と、集光レンズの下部の近傍と横長スリットの下縁とを橋絡する平面状の下リフレクタの反射面とが設けられている。
【００１７】
そのため、請求項１に記載の照明装置では、仮に、照明装置の製造誤差などにより、集光レンズの上側部分を透過した光が、横長スリットの上縁よりも上側に向かって進む場合であっても、その光が、遮られることなく、集光レンズの上部の近傍と横長スリットの上縁とを橋絡する平面状の上リフレクタの反射面によって反射され、横長スリットを通過せしめられる。
【００１８】
また、請求項１に記載の照明装置では、仮に、照明装置の製造誤差などにより、集光レンズの下側部分を透過した光が、横長スリットの下縁よりも下側に向かって進む場合であっても、その光が、遮られることなく、集光レンズの下部の近傍と横長スリットの下縁とを橋絡する平面状の下リフレクタの反射面によって反射され、横長スリットを通過せしめられる。
【００１９】
それゆえ、請求項１に記載の照明装置によれば、照明装置の製造誤差などにより集光レンズからの光の一部が横長スリットを通過できなくなってしまうのを回避することができる。つまり、請求項１に記載の照明装置によれば、照明装置の製造誤差などにより集光レンズからの光の一部が横長スリットを通過できないのに伴って、光源からの光の利用効率が低下してしまうのを回避することができる。
【００２０】
換言すれば、請求項１に記載の照明装置によれば、横長スリットよりも観察者に近い位置がライン状に光って見えるようにしつつ、光源からの光の利用効率の低下を回避することができる。
【００２１】
請求項２に記載の照明装置では、集光レンズの上部の近傍と横長スリットの上縁とを結ぶ線分の延長線上であって、集光レンズの下部の近傍と横長スリットの下縁とを結ぶ線分の延長線上に、集光レンズからの光が集光せしめられる。そのため、請求項２に記載の照明装置によれば、観察者に最も近い位置がライン状に光って見えるようにすることができる。
【００２２】
請求項３に記載の照明装置では、集光レンズの上フランジ部を固定するための固定部と、横長スリットの上縁を形成する端部とが、上リフレクタに設けられている。そのため、請求項３に記載の照明装置によれば、集光レンズの上フランジ部を固定するための固定部と、横長スリットの上縁を形成する端部とが、上リフレクタとは別個の部品である場合よりも、照明装置の部品数を低減することができる。
【００２３】
また、請求項３に記載の照明装置では、集光レンズの下フランジ部を固定するための固定部と、横長スリットの下縁を形成する端部とが、下リフレクタに設けられている。そのため、請求項３に記載の照明装置によれば、集光レンズの下フランジ部を固定するための固定部と、横長スリットの下縁を形成する端部とが、下リフレクタとは別個の部品である場合よりも、照明装置の部品数を低減することができる。
【００２４】
請求項４に記載の車両用灯具によれば、横長スリットよりも観察者に近い位置がライン状に光って見えるようにしつつ、光源からの光の利用効率の低下を回避することができる。
【発明を実施するための最良の形態】
【００２５】
以下、本発明の照明装置の第１の実施形態について説明する。図１は第１の実施形態の照明装置１０の斜視図、図２は第１の実施形態の照明装置１０の断面図、図３は第１の実施形態の照明装置１０の光路図である。図１〜図３において、１は例えばＬＥＤ等のような光源を示しており、２は光源１からの光を反射するためのリフレクタを示している。３はリフレクタ２からの光を上下方向（図２および図３の上下方向）に集光させるための集光レンズを示している。
【００２６】
第１の実施形態の照明装置１０では、図３に示すように、光源１から放射された光がリフレクタ２によって反射され、リフレクタ２からの反射光が集光レンズ３に向かって進むが、第２の実施形態の照明装置では、代わりに、リフレクタ２を省略し、光源１からの直射光がリフレクタ２を介することなく集光レンズ３に向かって進むように、光源１を配置することも可能である。また、第３の実施形態の照明装置では、代わりに、光源１から放射された光が例えばフレネルレンズのようなレンズ（図示せず）を透過せしめられ、そのレンズからの光が集光レンズ３に向かって進むように、光源１およびそのレンズを配置することも可能である。
【００２７】
更に、第１の実施形態の照明装置１０では、図１に示すように、４個の光源１が設けられているが、第４の実施形態の照明装置では、代わりに、４個以外の任意の個数の光源１を設けることも可能である。
【００２８】
また、図１〜図３において、３ａはリフレクタ２からの光を上下方向（図２および図３の上下方向）に集光させるための凸部を示しており、３ｂはリフレクタ２からの光を左右方向（図１の左上−右下方向）に拡散させるための凸部（縦フレネル部）を示している。３ｃは集光レンズ３の上部を示しており、３ｄは集光レンズ３の下部を示しており、３ｅは集光レンズ３の上フランジ部を示しており、３ｆは集光レンズ３の下フランジ部を示している。
【００２９】
更に、図１〜図３において、４ａは集光レンズ３からの光を下向き（図２および図３の下向き）に反射するための上リフレクタを示しており、４ｂは集光レンズ３からの光を上向き（図２および図３の上向き）に反射するための下リフレクタを示している。４ａ１は集光レンズ３の上フランジ部３ｅを固定するための固定部を示しており、４ｂ１は集光レンズ３の下フランジ部３ｆを固定するための固定部を示している。４ａ２は横長スリット４Ｓの上縁４Ｓ１を形成するための端部を示しており、４ｂ２は横長スリット４Ｓの下縁４Ｓ２を形成するための端部を示している。４ａ３は集光レンズ３の上部３ｃの近傍と横長スリット４Ｓの上縁４Ｓ１とを橋絡する平面状の反射面を示しており、４ｂ３は集光レンズ３の下部３ｄの近傍と横長スリット４Ｓの下縁４Ｓ２とを橋絡する平面状の反射面を示している。
【００３０】
第１の実施形態の照明装置１０では、上リフレクタ４ａにＡｌ蒸着を施すことによって反射面４ａ１が形成され、下リフレクタ４ｂにＡｌ蒸着を施すことによって反射面４ｂ１が形成されているが、第５の実施形態の照明装置では、代わりに、上リフレクタ４ａに塗装を施すことによって反射面４ａ１を形成し、下リフレクタ４ｂに塗装を施すことによって反射面４ｂ１を形成することも可能である。
【００３１】
第１の実施形態の照明装置１０では、図３に示すように、光源１からの間接光が、集光レンズ３によって集光せしめられ、次いで、スリット部材としての上リフレクタ４ａおよび下リフレクタ４ｂによって形成された横長スリット４Ｓ（図２参照）を通過せしめられる。そのため、図１および図３に示すように、第１の実施形態の照明装置１０の照射方向（図１の左下側、図３の左側）に位置する観察者からは、第１の実施形態の照明装置１０がライン状に光って見える。
【００３２】
また、第１の実施形態の照明装置１０では、図３に示すように、集光レンズ３からの光が、横長スリット４Ｓ（図２参照）を隔てて集光レンズ３の反対側（図３の左側）の位置Ｐに集光せしめられる。そのため、観察者からは、あたかも横長スリット４Ｓ（図２参照）よりも観察者に近い位置Ｐに配置されたライン状の光源が光っているかのように見える。つまり、第１の実施形態の照明装置１０によれば、横長スリット４Ｓ（図２参照）よりも観察者に近い位置Ｐがライン状に光って見えるようにすることができる。
【００３３】
詳細には、図３は第１の実施形態の照明装置１０に製造誤差が存在しない場合における第１の実施形態の照明装置１０の光路を示している。第１の実施形態の照明装置１０に製造誤差が存在しない場合には、図３に示すように、集光レンズ３の上側部分を透過した光が、上リフレクタ４ａの反射面４ａ３（図２参照）によって反射されることなく、横長スリット４Ｓ（図２参照）を通過せしめられる。また、集光レンズ３の下側部分を透過した光が、下リフレクタ４ｂの反射面４ｂ３（図２参照）によって反射されることなく、横長スリット４Ｓ（図２参照）を通過せしめられる。
【００３４】
一方、第１の実施形態の照明装置１０に製造誤差が含まれる場合には、集光レンズ３の上側部分を透過した光が、横長スリット４Ｓの上縁４Ｓ１よりも上側に向かって進み、スリット部材（上リフレクタ４ａ）によって遮られてしまうおそれがある。この点に鑑み、第１の実施形態の照明装置１０では、図２に示すように、集光レンズ３の上部３ｃの近傍と横長スリット４Ｓの上縁４Ｓ１とを橋絡する平面状の反射面４ａ３が、スリット部材としての上リフレクタ４ａに形成されている。
【００３５】
図４は第１の実施形態の照明装置１０に製造誤差が存在する場合における第１の実施形態の照明装置１０の光路を示している。詳細には、図４は集光レンズ３を透過せしめられた光が図３に示す場合よりも上向きに進む場合における第１の実施形態の照明装置１０の光路を示している。
【００３６】
第１の実施形態の照明装置１０では、図４に示すように、集光レンズ３の上側部分を透過した光が、横長スリット４Ｓの上縁４Ｓ１よりも上側に向かって進む場合であっても、その光が、遮られることなく、上リフレクタ４ａの反射面４ａ３によって反射され、横長スリット４Ｓを通過せしめられる。
【００３７】
また、第１の実施形態の照明装置１０に製造誤差が含まれる場合には、集光レンズ３の下側部分を透過した光が、横長スリット４Ｓの下縁４Ｓ２よりも下側に向かって進み、スリット部材（下リフレクタ４ｂ）によって遮られてしまうおそれがある。この点に鑑み、第１の実施形態の照明装置１０では、図２に示すように、集光レンズ３の下部３ｄの近傍と横長スリット４Ｓの下縁４Ｓ２とを橋絡する平面状の反射面４ｂ３が、スリット部材としての下リフレクタ４ｂに形成されている。
【００３８】
図５は第１の実施形態の照明装置１０に製造誤差が存在する場合における第１の実施形態の照明装置１０の光路を示している。詳細には、図５は集光レンズ３を透過せしめられた光が図３に示す場合よりも下向きに進む場合における第１の実施形態の照明装置１０の光路を示している。
【００３９】
第１の実施形態の照明装置１０では、図５に示すように、集光レンズ３の下側部分を透過した光が、横長スリット４Ｓの下縁４Ｓ２よりも下側に向かって進む場合であっても、その光が、遮られることなく、下リフレクタ４ｂの反射面４ｂ３によって反射され、横長スリット４Ｓを通過せしめられる。
【００４０】
このように、第１の実施形態の照明装置１０によれば、製造誤差などによって集光レンズ３からの光の一部が横長スリット４Ｓを通過できなくなってしまうのを回避することができる。つまり、第１の実施形態の照明装置１０によれば、製造誤差などにより集光レンズ３からの光の一部が横長スリット４Ｓを通過できないのに伴って、光源１からの光の利用効率が低下してしまうのを回避することができる。
【００４１】
換言すれば、第１の実施形態の照明装置１０によれば、横長スリット４Ｓよりも観察者に近い位置Ｐがライン状に光って見えるようにしつつ、光源１からの光の利用効率の低下を回避することができる。
【００４２】
更に、第１の実施形態の照明装置１０では、図３に示すように、集光レンズ３の上部３ｃの近傍と横長スリット４Ｓ（図２参照）の上縁４Ｓ１とを結ぶ線分の延長線Ｌ１上であって、集光レンズ３の下部３ｄの近傍と横長スリット４Ｓ（図２参照）の下縁４Ｓ２とを結ぶ線分の延長線Ｌ２上の位置Ｐに、集光レンズ３からの光が集光せしめられる。そのため、第１の実施形態の照明装置１０によれば、観察者に最も近い位置Ｐがライン状に光って見えるようにすることができる。
【００４３】
また、第１の実施形態の照明装置１０では、図２に示すように、集光レンズ３の上フランジ部３ｅを固定するための固定部４ａ１と、横長スリット４Ｓの上縁４Ｓ１を形成する端部４ａ２とが、上リフレクタ４ａに設けられている。そのため、第１の実施形態の照明装置１０によれば、集光レンズ３の上フランジ部３ｅを固定するための固定部４ａ１と、横長スリット４Ｓの上縁４Ｓ１を形成する端部４ａ２とが、上リフレクタ４ａとは別個の部品である場合よりも、照明装置１０の部品数を低減することができる。
【００４４】
更に、第１の実施形態の照明装置１０では、図２に示すように、集光レンズ３の下フランジ部３ｆを固定するための固定部４ｂ１と、横長スリット４Ｓの下縁４Ｓ２を形成する端部４ｂ２とが、下リフレクタ４ｂに設けられている。そのため、第１の実施形態の照明装置１０によれば、集光レンズ３の下フランジ部３ｆを固定するための固定部４ｂ１と、横長スリット４Ｓの下縁４Ｓ２を形成する端部４ｂ２とが、下リフレクタ２ｂとは別個の部品である場合よりも、照明装置１０の部品数を低減することができる。
【００４５】
第１の実施形態の照明装置１０が設計される場合には、例えば、まず最初に、横長スリット４Ｓの高さ寸法が設定される。次に、光源１から放射された光が、集光レンズ３に向かって進むように、リフレクタ２の形状が設定される。次に、集光レンズ３からの光が、スリット部材（上リフレクタ４ａ、下リフレクタ４ｂ）によって遮られないように、かつ、集光レンズ３から最も離れた位置Ｐで集光するように、集光レンズ３の形状が設定される。
【００４６】
第１の実施形態の照明装置１０では、図２に示すように、横長スリット４Ｓの高さ寸法が、集光レンズ３のうち、上フランジ部３ｅおよび下フランジ部３ｆを除いた有効レンズ部の高さ寸法の約１／２に設定されているが、第６の実施形態の照明装置では、代わりに、横長スリット４Ｓの高さ寸法を、集光レンズ３のうち、上フランジ部３ｅおよび下フランジ部３ｆを除いた有効レンズ部の高さ寸法の約１／４〜２／３に設定することも可能である。
【００４７】
また、第１の実施形態の照明装置１０では、図２に示すように、横長スリット４Ｓと集光レンズ３との間隔が、横長スリット４Ｓの高さ寸法の約３倍に設定されているが、第７の実施形態の照明装置では、代わりに、横長スリット４Ｓと集光レンズ３との間隔を、横長スリット４Ｓの高さ寸法の約２〜５倍に設定することも可能である。横長スリット４Ｓと集光レンズ３との間隔を大きくすることにより、照明装置１０の奥行き感を増加させることができる。横長スリット４Ｓと集光レンズ３との間隔を小さくすることにより、照明装置１０を小型化することができる。
【００４８】
図６は第１の実施形態の照明装置１０が適用された一例の車両用灯具１００の正面図である。図７は図６に示した照明装置１０の拡大図である。図８は車両用灯具１００の一部の断面図である。図６〜図８において、１０１は車両用灯具１００のカバーレンズを示しており、１０２は車両用灯具１００のハウジングを示している。
【００４９】
図６〜図８に示す車両用灯具１００の例では、集光レンズ３からの光が集光せしめられる位置Ｐが、カバーレンズ１０１の内面よりも横長スリット４Ｓの側（図８の右側）に配置されているが、他の車両用灯具の例では、代わりに、集光レンズ３からの光が集光せしめられる位置Ｐを、カバーレンズ１０１の内面と外面との間に配置することも可能である。
【００５０】
第８の実施形態では、上述した第１から第７の実施形態を適宜組み合わせることも可能である。
【産業上の利用可能性】
【００５１】
本発明の照明装置は、例えば車両用灯具、遊技機器の演出用照明、一般照明等の各種照明装置等に適用可能である。
【図面の簡単な説明】
【００５２】
【図１】第１の実施形態の照明装置１０の斜視図である。
【図２】第１の実施形態の照明装置１０の断面図である。
【図３】第１の実施形態の照明装置１０の光路図である。
【図４】第１の実施形態の照明装置１０に製造誤差が存在する場合における第１の実施形態の照明装置１０の光路を示している。
【図５】第１の実施形態の照明装置１０に製造誤差が存在する場合における第１の実施形態の照明装置１０の光路を示している。
【図６】第１の実施形態の照明装置１０が適用された一例の車両用灯具１００の正面図である。
【図７】図６に示した照明装置１０の拡大図である。
【図８】車両用灯具１００の一部の断面図である。
【符号の説明】
【００５３】
１              光源
２              リフレクタ
３              集光レンズ
３ａ，３ｂ      凸部
３ｃ            上部
３ｄ            下部
３ｅ            上フランジ部
３ｆ            下フランジ部
４ａ            上リフレクタ
４ｂ            下リフレクタ
４ａ１，４ｂ１  固定部
４ａ２，４ｂ２  端部
４ａ３，４ｂ３  反射面
４Ｓ            横長スリット
４Ｓ１          上縁
４Ｓ２          下縁
１０            照明装置
１００          車両用灯具
１０１          カバーレンズ
１０２          ハウジング
【図１】
2009064655.tif 000003
【図２】
2009064655.tif 000004
【図３】
2009064655.tif 000005
【図４】
2009064655.tif 000006
【図５】
2009064655.tif 000007
【図６】
2009064655.tif 000008
【図７】
2009064655.tif 000009
【図８】
2009064655.tif 000010